(57)【要約】  【課題】  テレビ受像機からの画像とコンピュータからの画像とを、１つの汎用的な表示モニタで表示することができる表示制御システム、及び制御装置を提供する。  【解決手段】  表示装置４と、表示装置４に出力信号を送信可能に接続してあり、送信する出力信号を選択制御する制御装置３とを備える表示制御システムにおいて、制御装置３は、コンピュータとして機能させる第１の回路ブロック３２と、第１の回路ブロック３２とデータを送受信することが可能に接続してあり、放送受信機として機能させる第２の回路ブロック３１とを備え、第２の回路ブロック３１は、外部から所定の信号を受け付けた場合、受け付けた信号に応じて、第１の回路ブロック３２からの出力信号を表示装置４へ送出するか、第２の回路ブロック３１からの出力信号を表示装置４へ送出するか、いずれかを選択する。【選択図】        図１
2006180137.tif 000002
【特許請求の範囲】
【請求項１】
表示装置と、該表示装置に出力信号を送信可能に接続してあり、送信する出力信号を選択制御する制御装置とを備える表示制御システムにおいて、
前記制御装置は、
コンピュータとして機能する第１の回路ブロックと、
該第１の回路ブロックとデータを送受信することが可能に接続してあり、放送受信機として機能する第２の回路ブロックと
を備え、
前記第２の回路ブロックは、
外部から所定の信号を受け付けた場合、受け付けた信号に応じて、前記第１の回路ブロックからの出力信号を前記表示装置へ送出するか、前記第２の回路ブロックからの出力信号を前記表示装置へ送出するか、いずれかを選択する手段を備えることを特徴とする表示制御システム。
【請求項２】
前記第１の回路ブロックからの出力信号はコンポジット信号であり、前記第２の回路ブロックからの出力信号はＲＧＢ信号であることを特徴とする請求項１記載の表示制御システム。
【請求項３】
前記第１の回路ブロックからの出力信号をＲＧＢ信号に変換する手段を備えることを特徴とする請求項２記載の表示制御システム。
【請求項４】
表示装置に対して出力信号を送信可能に接続してあり、送信する出力信号を選択制御する制御装置において、
コンピュータとして機能する第１の回路ブロックと、
該第１の回路ブロックとデータを送受信することが可能に接続してあり、放送受信機として機能する第２の回路ブロックと
を備え、
前記第２の回路ブロックは、
外部から所定の信号を受け付けた場合、受け付けた信号に応じて、前記第１の回路ブロックからの出力信号を前記表示装置へ送出するか、前記第２の回路ブロックからの出力信号を前記表示装置へ送出するか、いずれかを選択する手段を備えることを特徴とする制御装置。
【請求項５】
前記第１の回路ブロックからの出力信号はコンポジット信号であり、前記第２の回路ブロックからの出力信号はＲＧＢ信号であることを特徴とする請求項４記載の制御装置。
【請求項６】
前記第１の回路ブロックからの出力信号をＲＧＢ信号に変換する手段を備えることを特徴とする請求項５記載の制御装置。
【発明の詳細な説明】
【技術分野】
【０００１】
本発明は、１台の表示装置を、テレビ放送、ビデオ映像等の映像表示装置又はコンピュータの表示装置として機能させることができる表示制御システム、及び制御装置に関する。
【背景技術】
【０００２】
従来、病院、ホテル等におけるサービスの一環として、放送受信機としてのテレビ受像機を設置し、有料にて放送又はビデオ画像を再生する有料放送サービスが広く提供されている。斯かるサービスでは、例えばプリペイドカードを券売機で購入し、購入したプリペイドカードを課金装置へ投入することにより、プリペイドカードに記録されている情報に対応した時間だけ有料放送サービスを提供する。
【０００３】
また、昨今のインターネット環境の急速な普及により、パーソナルコンピュータによるインターネット環境を提供するサービスも多々提供されている。斯かるサービスでは、パーソナルコンピュータをテレビ受像機と別個に設置するもの、又はテレビ受像機と一体化したパーソナルコンピュータを設置するものが主流であり、利用者は、通常のインターネット環境と同様の環境で、インターネット接続サービスを享受することができる。
【発明の開示】
【発明が解決しようとする課題】
【０００４】
しかし、上述した従来のインターネット接続サービスは、結局はインターネット接続用のパーソナルコンピュータを別個に設置するものであり、既にテレビ受像機が設置してある場合、同一の室内に表示装置を２個配置する必要があり、限られた空間に配置面積の比較的大きい表示装置を複数配置することが困難であるとともに、コスト負担が増大する等の問題点があった。
【０００５】
また、テレビ受像機と一体化したパーソナルコンピュータを設置する場合、基本的にはコンピュータによる画像が表示されることになることから、コンピュータに関する知識が少ない利用者にとっては、却って不便を強いることになるという問題点があった。
【０００６】
さらに、表示モニタのみを共有化し、テレビ受像機からの画像とコンピュータからの画像とを切り替えることにより、両者の画像を１つの表示モニタで表示することも提案されているが、この場合、表示モニタ側に切替信号の受信手段、切替信号による表示用の出力信号の切替手段等を備える必要が有り、汎用の表示モニタを使用することができないという問題点があった。
【０００７】
本発明は、斯かる事情に鑑みてなされたものであり、テレビ受像機からの画像とコンピュータからの画像とを、１つの汎用的な表示モニタで表示することができる表示制御システム、及び制御装置を提供することを目的とする。
【課題を解決するための手段】
【０００８】
上記目的を達成するために第１発明に係る表示制御システムは、表示装置と、該表示装置に出力信号を送信可能に接続してあり、送信する出力信号を選択制御する制御装置とを備える表示制御システムにおいて、前記制御装置は、コンピュータとして機能する第１の回路ブロックと、該第１の回路ブロックとデータを送受信することが可能に接続してあり、放送受信機として機能する第２の回路ブロックとを備え、前記第２の回路ブロックは、外部から所定の信号を受け付けた場合、受け付けた信号に応じて、前記第１の回路ブロックからの出力信号を前記表示装置へ送出するか、前記第２の回路ブロックからの出力信号を前記表示装置へ送出するか、いずれかを選択する手段を備えることを特徴とする。
【０００９】
また、第２発明に係る表示制御システムは、第１発明において、前記第１の回路ブロックからの出力信号はコンポジット信号であり、前記第２の回路ブロックからの出力信号はＲＧＢ信号であることを特徴とする。
【００１０】
また、第３発明に係る表示制御システムは、第２発明において、前記第１の回路ブロックからの出力信号をＲＧＢ信号に変換する手段を備えることを特徴とする。
【００１１】
また、第４発明に係る制御装置は、表示装置に対して出力信号を送信可能に接続してあり、送信する出力信号を選択制御する制御装置において、コンピュータとして機能する第１の回路ブロックと、該第１の回路ブロックとデータを送受信することが可能に接続してあり、放送受信機として機能する第２の回路ブロックとを備え、前記第２の回路ブロックは、外部から所定の信号を受け付けた場合、受け付けた信号に応じて、前記第１の回路ブロックからの出力信号を前記表示装置へ送出するか、前記第２の回路ブロックからの出力信号を前記表示装置へ送出するか、いずれかを選択する手段を備えることを特徴とする。
【００１２】
また、第５発明に係る制御装置は、第４発明において、前記第１の回路ブロックからの出力信号はコンポジット信号であり、前記第２の回路ブロックからの出力信号はＲＧＢ信号であることを特徴とする。
【００１３】
また、第６発明に係る制御装置は、第５発明において、前記第１の回路ブロックからの出力信号をＲＧＢ信号に変換する手段を備えることを特徴とする。
【００１４】
第１発明、及び第４発明では、表示装置に対して出力信号を送信することが可能に接続してあり、送信する出力信号を選択制御する制御装置を備えており、制御装置は、コンピュータとして機能させる第１の回路ブロックと、該第１の回路ブロックとデータを送受信することが可能に接続してあり、放送受信機として機能させる第２の回路ブロックとを備え、第２の回路ブロックが外部から所定の信号を受け付けた場合、受け付けた信号に応じて、第１の回路ブロックからの出力信号を表示装置へ送出するか、第２の回路ブロックからの出力信号を表示装置へ送出するか、いずれかを選択する。これにより、例えば通常は第２の回路ブロックから送出された出力信号を表示することで放送受信機として機能しており、切替信号を受け付けた場合には、第１の回路ブロックから送出された出力信号を表示するよう切替え、コンピュータとして機能させる。したがって、表示装置に特別な表示切替手段を設ける必要がなく、従来の汎用的な表示装置を用いる場合であっても、放送受信機として機能させるとともに、必要な場合にはコンピュータとして機能させることが可能となる。
【００１５】
第２発明、及び第５発明では、第１の回路ブロックからの出力信号はコンポジット信号であり、第２の回路ブロックからの出力信号はＲＧＢ信号である。これにより、表示装置が、コンポジット信号用端子とＲＧＢ信号用端子とを備えている場合、表示装置と制御装置との間に切替手段を設けることなく、放送受信機能とコンピュータ機能とを切り替えることができ、従来の表示装置を利用しつつ、設置コストの低減を図ることが可能となる。
【００１６】
第３発明、及び第６発明では、第１の回路ブロックからの出力信号をＲＧＢ信号に変換する手段を備える。これにより、表示装置がＲＧＢ信号用端子しか備えていない場合であっても、表示装置と制御装置との間に切替手段を設けることなく、放送受信機能とコンピュータ機能とを切り替えることができ、従来の表示装置を利用しつつ、設置コストの低減を図ることが可能となる。
【発明の効果】
【００１７】
第１発明、及び第４発明によれば、例えば通常は第２の回路ブロックから送出された出力信号を表示することで放送受信機として機能しており、切替信号を受け付けた場合には、第１の回路ブロックから送出された出力信号を表示するよう切替え、コンピュータとして機能させる。したがって、表示装置に特別な表示切替手段を設ける必要がなく、従来の汎用的な表示装置を用いる場合であっても、放送受信機として機能させるとともに、必要な場合にはコンピュータとして機能させることが可能となる。
【００１８】
第２発明、及び第５発明によれば、表示装置が、コンポジット信号用端子とＲＧＢ信号用端子とを備えている場合、表示装置と制御装置との間に切替手段を設けることなく、放送受信機能とコンピュータ機能とを切り替えることができ、従来の表示装置を利用しつつ、設置コストの低減を図ることが可能となる。
【００１９】
第３発明、及び第６発明によれば、表示装置がＲＧＢ信号用端子しか備えていない場合であっても、表示装置と制御装置との間に切替手段を設けることなく、放送受信機能とコンピュータ機能とを切り替えることができ、従来の表示装置を利用しつつ、設置コストの低減を図ることが可能となる。
【発明を実施するための最良の形態】
【００２０】
以下、本発明をその実施の形態を示す図面に基づいて詳述する。図１は、本発明の実施の形態に係る表示制御システムの構成を示すブロック図である。本実施の形態に係る表示制御システムは、地上波放送、衛星放送等の電波を受信し、映像信号及び音声信号に変換する放送受信機１と、放送受信機１からの映像信号及び音声信号を受信し、インターネット２等のネットワーク網を介してデータを送受信し、表示するための出力信号を送出する制御装置３と、送出された出力信号を受け取って画面に表示する表示装置４とを備えている。
【００２１】
制御装置３は、放送受信機１からの映像信号及び音声信号を受信し、リモコン装置５からの信号を受信する映像処理基板（第２の回路ブロック）３１と、インターネット等のネットワーク網２と接続してあるＣＰＵ組込み基板（第１の回路ブロック）３２とを備えている。映像処理基板３１とＣＰＵ組込み基板３２とは、通信線３３、例えばＲＳ２３２Ｃケーブルにより接続されており、シリアル通信を行うことにより相互にデータを送受信することが可能となっている。
【００２２】
なお、映像処理基板３１とＣＰＵ組込み基板３２とは、ＲＳ２３２Ｃケーブルにより接続される構成に限定されるものではなく、例えばＵＳＢケーブル等のデータ通信可能なケーブルであれば何でも良い。
【００２３】
図２は、本発明の実施の形態に係る表示制御システムの映像処理基板３１の構成を示すブロック図である。映像処理基板３１は、ＬＳＩ基板であり、少なくとも、制御部（ＭＰＵ）３１１、ＲＯＭ３１２、ＲＡＭ３１３、通信線３３等と接続する通信インタフェース３１４、リモコン装置５から発信された光信号を受信することにより入力を受け付ける入力部３１５、ＬＥＤ、液晶パネル等により情報を表示出力する表示部３１６を備えている。
【００２４】
制御部３１１は、内部バス３１７を介して映像処理基板３１の上述したようなハードウェア各部と接続されており、上述したハードウェア各部を制御するとともに、ＲＯＭ３１２に記憶されている処理プログラム、例えば受信した映像信号及び再生信号を同期させて表示装置４に送出するプログラム等に従って、種々のソフトウェア的機能を実行する。
【００２５】
ＲＯＭ３１２は、フラッシュメモリ等で構成され、映像処理基板３１として機能させるために必要な処理プログラムを記憶している。ＲＡＭ３１３は、ＳＲＡＭ等で構成され、ソフトウェアの実行時に発生する一時的なデータを記憶する。
【００２６】
通信インタフェース３１４は内部バス３１７に接続されており、通信線３３を介してＣＰＵ組込み基板３２とデータ通信可能に接続することにより、処理に必要なデータを送受信する。また、通信インタフェース３１４を介して、放送受信機１からの映像信号及び音声信号を取得し、表示装置４へ送出する。表示装置４へ送出する出力信号は、コンポジット信号である。
【００２７】
入力部３１５は、外部のリモートコントロール機(図示せず)から発せられた発光信号を受光する受光部であり、電源のオンオフ信号、識別番号の入力信号等を受光する。入力部３１５は、外部のリモートコントロール機からの信号を受け付けるものに限定されるものではなく、例えばマウス、キーボード等の入力装置であっても良い。
【００２８】
表示部３１６は、画像を表示出力する液晶パネル、数字を表示するＬＥＤディスプレイ等の情報表示手段である。
【００２９】
図３は、本発明の実施の形態に係る表示制御システムのＣＰＵ組込み基板３２の構成を示すブロック図である。ＣＰＵ組込み基板３２は、ＬＳＩ基板であり、少なくとも、制御部（ＣＰＵ）３２１、ＲＯＭ３２２、ＲＡＭ３２３、通信線３３等と接続する通信インタフェース３２４、キーボード、マウス等から入力を受け付ける入力部３２５を備えている。
【００３０】
制御部３２１は、内部バス３２６を介してＣＰＵ組込み基板３２の上述したようなハードウェア各部と接続されており、上述したハードウェア各部を制御するとともに、ＲＯＭ３２２に記憶されている処理プログラム、例えばインターネット接続のプロバイダコンピュータとの接続プログラム等に従って、種々のソフトウェア的機能を実行する。
【００３１】
ＲＯＭ３２２は、フラッシュメモリ等で構成され、ＣＰＵ組込み基板３２として機能させるために必要な処理プログラム、例えばオペレーティングシステムとしてリナックス（Ｒ）、ブラウザとしてマイクロソフト社製のインターネット・エクスプローラ（Ｒ）等を記憶している。ＲＡＭ３２３は、ＳＲＡＭ等で構成され、ソフトウェアの実行時に発生する一時的なデータを記憶する。
【００３２】
通信インタフェース３２４は内部バス３２６に接続されており、通信線３３を介して映像処理基板３１とデータ通信可能に接続することにより、処理に必要なデータを送受信する。また、通信インタフェース３２４を介して、インターネット等のネットワーク網２を介して、外部のコンピュータとの間でデータを取得し、表示装置４へ送出する。表示装置４へ送出する出力信号は、画像表示用のＲＧＢ信号である。
【００３３】
入力部３２５は、キーボード、マウス等の入力装置であり、ＣＰＵ組込み基板３２からの出力信号に係る画像が表示装置４に表示されている状態で通常のパーソナルコンピュータと同様に用いるためのデータ入力装置として機能する。もちろん、キーボード、マウス等に限定されるものではなく、例えば表示装置４に組み込んだタッチパネルであっても良い。
【００３４】
表示装置４は、ＣＲＴディスプレイ、ＬＣＤ等の表示画面を備えた表示装置であり、コンポジット信号の入力を受け付けるコンポジット端子４１と、ＲＧＢ信号を受け付けるＲＧＢ端子４２とを備えている。
【００３５】
上述した構成の本実施の形態に係る表示制御システムの動作について説明する。以下、表示制御システムをホテルの客室毎に配設してあるテレビ受像装置に適用した場合について説明する。図４は、本発明の実施の形態に係る表示制御システムの設置状態を示す模式図である。
【００３６】
表示装置４の近傍に配設してある制御装置２は、外部のリモコン装置５から所定の割込信号を受信するまで映像処理基板３１から送出された出力信号に係る画像を表示出力する。すなわち、放送受信機１で受信した映像信号及び音声信号を制御装置３で中継して、表示装置４へ転送している。
【００３７】
制御装置２の映像処理基板３１の入力部３１６が、外部のリモコン装置５から発信された所定の信号、例えばコンピュータへの切替信号を受信した場合、映像処理基板３１の制御部３１１は、ＣＰＵ組込み基板３２に対して、通信線３３を介して出力信号の送出を開始する旨を示す指示信号を送信し、表示装置４に対する映像信号及び音声信号の送出を停止する。
【００３８】
映像処理基板３１から、通信線３３を介して出力信号の送出を開始する旨を示す指示信号を受信したＣＰＵ組込み基板３２の制御部３２１は、ＲＯＭ３２２に記憶してあるオペレーティングシステムを起動し、表示するためのＲＧＢ信号を表示装置４に対して送出する。これにより、表示装置４に信号の切替手段を備えることなく、テレビ、ビデオ等の映像受像機及びパーソナルコンピュータの表示装置として兼用することが可能となる。
【００３９】
制御装置２は、外部のリモコン装置５から所定の割込信号を受信するまでＣＰＵ組込み基板３２から送出された出力信号に係る画像を表示出力する。すなわち、例えばインターネットを介して取得した出力信号を制御装置３で中継して、表示装置４でブラウザを用いて表示出力する。
【００４０】
この状態で制御装置２の映像処理基板３１の入力部３１６が、外部のリモコン装置５から発信された所定の信号、例えばテレビへの切替信号を受信した場合、映像処理基板３１の制御部３１１は、ＣＰＵ組込み基板３２に対して、通信線３３を介して出力信号の送出を停止する旨を示す指示信号を送信し、表示装置４に対する映像信号及び音声信号の送出を開始する。
【００４１】
映像処理基板３１から、通信線３３を介して出力信号の送出を停止する旨を示す指示信号を受信したＣＰＵ組込み基板３２の制御部３２１は、ＲＯＭ３２２に記憶してある停止コマンドを起動し、オペレーティングシステムを正常終了させる。これにより、表示装置４に信号の切替手段を備えることなく、テレビ、ビデオ等の映像受像機及びパーソナルコンピュータの表示装置として兼用することができる。また、コンピュータが異常終了する事態を未然に回避することができることから、起動・停止に伴うソフトウェア的又はハードウェア的障害が発生する可能性を減少させることも可能となる。
【００４２】
図５は、本発明の実施の形態に係る表示制御システムにおける制御装置２の映像処理基板３１の制御部３１１の処理手順を示すフローチャートである。映像処理基板３１の制御部３１１は、放送受信機１から取得した映像信号及び音声信号を取得して、コンポジット信号として表示装置４へ送出し（ステップＳ５０１）、コンピュータへの切替信号を受信するまで送出を継続する。制御部３１１は、コンピュータへの切替信号を受信したか否かを判断する（ステップＳ５０２）。
【００４３】
制御部３１１が、切替信号を受信したと判断した場合（ステップＳ５０２：ＹＥＳ）、制御部３１１は、ＣＰＵ組込み基板３２に対して、通信線３３を介して出力信号の送出を開始する旨を示す出力開始指示信号を送出し（ステップＳ５０３）、表示装置４に対するコンポジット信号の送出を停止する（ステップＳ５０４）。
【００４４】
制御部３１１は、放送受信機１からの画像表示への切替信号を受信するまでコンポジット信号の送出を停止し、放送受信機１からの画像表示への切替信号を受信したか否かを判断する（ステップＳ５０５）。制御部３１１が切替信号を受信したと判断した場合（ステップＳ５０５：ＹＥＳ）、制御部３１１は、ＣＰＵ組込み基板３２に対して、通信線３３を介して出力信号の送出を停止する旨を示す出力停止指示信号を送出し（ステップＳ５０６）、表示装置４に対する映像信号及び音声信号に係るコンポジット信号の送出を再開する（ステップＳ５０７）。
【００４５】
図６は、本発明の実施の形態に係る表示制御システムにおける制御装置２のＣＰＵ組込み基板３２の制御部３２１の処理手順を示すフローチャートである。ＣＰＵ組込み基板３２の制御部３２１は、通信線３３を介して出力信号の送出を開始する旨を示す出力開始指示信号を受信したか否かを判断し（ステップＳ６０１）、制御部３２１が、出力開始指示信号を受信したと判断した場合（ステップＳ６０１：ＹＥＳ）、制御部３２１は、ＲＯＭ３２２に記憶してあるオペレーティングシステムを起動し（ステップＳ６０２）、表示するためのＲＧＢ信号を表示装置４に対して送出する（ステップＳ６０３）。
【００４６】
制御部３２１は、通信線３３を介して出力信号の送出を停止する旨を示す出力停止指示信号を受信したか否かを判断し（ステップＳ６０４）、制御部３２１が、出力停止指示信号を受信したと判断した場合（ステップＳ６０４：ＹＥＳ）、制御部３２１は、ＲＯＭ３２２に記憶してあるオペレーティングシステムの停止コマンドを起動し（ステップＳ６０５）、オペレーティングシステムを正常終了させる。
【００４７】
以上のように本実施の形態によれば、例えば通常は映像処理基板３１から送出された出力信号を表示することで放送受信機として機能しており、切替信号を受け付けた場合には、ＣＰＵ組込み基板３２から送出された出力信号を表示するよう切替え、コンピュータとして機能させることができ、表示装置４に特別な表示切替手段を設ける必要がない。したがって、従来の汎用的な表示装置を活用しつつ、放送受信機として機能させるとともに、必要な場合にはコンピュータとして機能させることができ、安価かつ容易に、テレビ受像機兼コンピュータとしてサービスを提供することが可能となる。
【００４８】
なお、表示装置４が、ＲＧＢ信号の入力端子だけしか備えていない場合、制御装置３にコンポジット信号をＲＧＢ信号に変換する変換部を備え、映像処理基板３１の通信インタフェース３１４及びＣＰＵ組込み基板３２の通信インタフェース３２４と接続しておくことにより、同様の効果が期待できる。
【００４９】
なお、上述した実施の形態では、映像処理基板３１及びＣＰＵ組込み基板３２にＬＳＩ基板を用いる場合について説明しているが、ＬＳＩ基板に限定されるものではなく、同様の機能を有する回路ブロックであればどのような形態であっても良い。
【００５０】
また、本発明は上述した実施の形態に何等限定されるものではなく、本発明の要旨を逸脱しない範囲で種々の形態で実施することができる。
【図面の簡単な説明】
【００５１】
【図１】本発明の実施の形態に係る表示制御システムの構成を示すブロック図である。
【図２】本発明の実施の形態に係る表示制御システムの映像処理基板の構成を示すブロック図である。
【図３】本発明の実施の形態に係る表示制御システムのＣＰＵ組込み基板の構成を示すブロック図である。
【図４】本発明の実施の形態に係る表示制御システムの設置状態を示す模式図である。
【図５】本発明の実施の形態に係る表示制御システムにおける制御装置の映像処理基板の制御部の処理手順を示すフローチャートである。
【図６】本発明の実施の形態に係る表示制御システムにおける制御装置のＣＰＵ組込み基板の制御部の処理手順を示すフローチャートである。
【符号の説明】
【００５２】
１  放送受信機
２  インターネット
３  制御装置
４  表示装置
５  リモコン装置
３１  映像処理基板
３２  ＣＰＵ組込み基板
３１１、３２１  制御部
３１２、３２２  ＲＯＭ
３１３、３２３  ＲＡＭ
３１４、３２４  通信インタフェース
３１５、３２５  入力部
３１６  表示部
【図１】
2006180137.tif 000003
【図２】
2006180137.tif 000004
【図３】
2006180137.tif 000005
【図４】
2006180137.tif 000006
【図５】
2006180137.tif 000007
【図６】
2006180137.tif 000008